(57)【特許請求の範囲】
【請求項１】
手動挿入されたカードを案内するカードスロットと、
該カードスロット内に手動挿入されたカードを検出して挿入信号を送出するセンサ手段と、
前記カードスロット内に手動挿入されたカードを常時押し戻す付勢力を有し、前記カードの手動挿入力を解除すると、直ちに前記付勢力により該カードを前記センサ手段が挿入信号を出力しなくなる位置まで押し戻す付勢手段と、
カードに記憶された金銭情報相当額を読みだし及び書き込むためのリードライト手段と、
前記センサ手段から挿入信号が出力されたときに前記金銭相当情報を読みだし、遊戯料金料金以上である場合に金銭相当情報を減算して書き込み、遊戯を開始させる為の遊戯信号を送出し、前記センサ手段が挿入信号を出力しなくなった時に一回の動作を終了する制御手段と
を具えたことを特徴とするカード処理装置。
【発明の詳細な説明】
【０００１】
【発明の属する技術分野】
この発明は、カードに形成された記録あるいは記憶領域にアクセスして情報の記録再生処理を行うカード処理装置に関し、特に遊戯機器に使用されるカード処理装置に関する。
【０００２】
【従来の技術】
従来から遊戯装置にはＩＣカード、磁気カード等の各種カードを使用して遊戯ができるよう、その遊戯装置にカード処理装置を装着したものがある。
【０００３】
この従来のカード処理装置は大別すると以下の２種類となる。
【０００４】
従来の第１のカード処理装置では、カードが挿入されると、当該カードの記憶領域にアクセスして金銭相当情報を読みだし、当該金銭相当情報が一回の遊戯料金以上である場合は、遊戯装置に対し一回遊戯ができる遊戯情報を送出するようにしている。そしてカード処理装置は、その後、カードの記録領域から一回の遊戯料金に相当する金銭相当情報を減算し、そのカードをカード処理装置から返却するようにしている。
【０００５】
また従来の第２のカード処理装置では、カードが挿入されると、当該カードの記録領域にアクセスして金銭相当情報を読みだして別の入力装置へその金銭相当情報を送出する。遊戯者はその入力装置に遊戯回数を入力すると、入力装置は読み出された金銭相当情報が遊戯回数に相当する金銭相当情報以上の場合は、その遊戯回数に相当する遊戯情報を遊戯装置へ送出する。その後、入力装置は遊戯回数に相当する金銭相当情報を減算し、その減算した金銭相当情報をカード処理装置に送出する。カード処理装置は、入力手段から送出された遊戯回数に相当する金銭相当情報を減算した金銭相当情報をカードの記録領域に書き込み、その後、そのカードを返却するようにしている。
【０００６】
【発明が解決しようとする課題】
ところで、上述した従来のカード処理装置によると、その第１のものでは、遊戯を行おうとするごとに、即ち遊戯者の遊戯意思を確認する毎にカードの挿入操作を初めから行わねばならず、その操作が極めて面倒である問題点があった。
【０００７】
また第２のカード処理装置では、別の入力装置が必要であることから、装置全体が複雑で、しかも高価となる難点があった。
【０００８】
この発明は、上述した事情に鑑み、簡単な操作で遊戯者の遊戯意思を確認することができ、かつ部品点数が少く安価なカード処理装置を提供することを目的とする。
【０００９】
【課題を解決するための手段】
上述した課題を解決するため、この発明のカード処理装置では、手動挿入されたカードを案内するカードスロットと、該カードスロット内に手動挿入されたカードを検出して挿入信号を送出するセンサ手段と、前記カードスロット内に手動挿入されたカードを常時押し戻す付勢力を有し、前記カードの手動挿入力を解除すると、直ちに前記付勢力により該カードを前記センサ手段が挿入信号を出力しなくなる位置まで押し戻す付勢手段と、カードに記憶された金銭情報相当額を読みだし及び書き込むためのリードライト手段と、前記センサ手段から挿入信号が出力されたときに前記金銭相当情報を読みだし、遊戯料金料金以上である場合に金銭相当情報を減算して書き込み、遊戯を開始させる為の遊戯信号を送出し、前記センサ手段が挿入信号を出力しなくなった時に一回の動作を終了する制御手段とを具えている。
【００１０】
【発明の実施の形態】
以下、この発明に係わるカード処理装置を詳述する。
【００１１】
図１はこの発明に係わるカード処理装置１の要部破断側面図である。
【００１２】
このカード処理装置１は、装置本体を構成する筐体２と、この筐体２内に配設された、カード案内用のカードスロット３と、このカードスロット３の下端に配設され、挿入されたカードを押し戻す付勢手段４と、この付勢手段４に隣接して配設され、カードがカードスロット３内の所定位置に到達したか否かを検出するセンサー手段５と、前記カードスロット３の背面に配設され、所定位置に到達したカードの記録領域にアクセスするリードライト手段６と、このリードライト手段６の背面に配設された制御手段７とから構成されている。
【００１３】
このうち、カードスロット３は図示せぬカードを嵌挿する案内溝により構成されており、筐体２の上端にカード挿入口３ａが形成され、下端にはカード落下口３ｂが形成されている。
【００１４】
このカードスロット３に形成されたカード落下口３ｂのさらに下方には、カード挿入口３ａから挿入されたカードをカード挿入口３ａ側へ押し戻すレバー４ａと、当該レバー４ａを常時カード挿入口３ａ側へ付勢するコイルバネ４ｂとからなる前記付勢手段４が配設されている。なお、このコイルバネ４ｂは筐体２から突出した軸８に回動自在に支承され、その一対の自由端のうち一方は前記レバー４ａに係合し、他方は筐体２の底面に係合している。
【００１５】
一方、この付勢手段４を構成するレバー４ａに隣接した位置には前述したセンサー手段５が配設されている。
【００１６】
このセンサー手段５は、カードがカードスロット３内の所定の位置まで押し込まれたか否か、即ちリードライト手段６によりカードの記録領域にアクセス可能な位置にカードが到達したか否かを検出するマイクロスイッチ５ａにより構成されている。
【００１７】
また、前記カードスロット３の背面に配設されたリードライト手段６は、実施例では非接触でカードスロット３内に挿入されたＩＣカードの記録領域にアクセスして情報の記録再生処理を行うものである。
【００１８】
図２は図１のＡＡ概念断面図で、オペレータ（遊戯者）がカードスロット３内に挿入されたＩＣカード１０を、さらにカードスロット３の所定位置まで押し込んでセンサー手段５をオンにした状態を示している。なお、この実施例のＩＣカード１０は、いわゆる非接触型ＩＣカードで、その周囲に図示せぬアンテナが配設され、このアンテナを介しＩＣカードの記録領域とリードライト手段６とのアクセスを図っている。なお、図２で符号３ｃはレバー４ａが嵌挿するカードスロット３内に形成された切り欠である。
【００１９】
図３は、ＣＰＵを含むその周辺回路を利用して構成された制御手段７を含むこのカード処理装置１のブロック図で、制御手段７はセンサー手段５とリードライト手段６から送出された信号に基づいて遊戯装置１１に対し一回の遊戯信号を送出する。
【００２０】
次に、上述した制御手段７の動作を図４で示すフローチャートに基づいて説明し、併せて上述したカード処理装置１の作用を説明する。
【００２１】
図示せぬ電源が制御手段７に投入されると、当該制御手段７はステップ１００で示すように、センサー手段５から送出される挿入信号の有無を判断する待機状態に設定される。
【００２２】
一方、図５乃至図６で示すように、オペレータによりカードスロット３のカード挿入口３ａからカード１０が挿入され、その後、図２で示すように、オペレータが付勢手段４を構成するレバー４ａの付勢力に抗し、さらに力Ｆを加えＩＣカード１０をカードスロット３の下方へ押し込み、これによりセンサー手段５のマイクロスイッチ５ａをオンにすると、そのオン信号は図３の制御手段７へ送出される。
【００２３】
一方、制御手段７はセンサー手段５から送出されたオン信号を検出すると、図４のステップ１０１で示すように、リードライト手段６に対しＩＣカード１０の記録領域にアクセスして金銭相当情報を読みださせる。
【００２４】
そして、その金銭相当情報が読み出され制御手段７へ送出されると、当該制御手段７はその読み出された金銭相当情報と前もって記憶された一回の遊戯料金情報とを比較し（ステップ１０２）、当該金銭相当情報が一回の遊戯料金の金銭相当情報以上である場合（充足）は、当該金銭相当情報から一回の遊戯料金に相当する金銭相当情報を減算し（ステップ１０３）、その減算した結果の金銭相当情報をリードライト手段６（図３）へ送出して、当該減算した結果の金銭相当情報をＩＣカード１０のＩＣ記録領域に書き込む（ステップ１０４）。
【００２５】
その後、制御手段７は遊戯装置１１に対して一回の遊戯が行える遊戯信号を送出する（ステップ１０５）。
【００２６】
次に、制御手段７はさらに前記センサー手段５からカード１０の挿入信号が送出されているか否かを判断し（ステップ１０６）、センサー手段５から挿入信号がなけれステップ１００の初期状態に復帰する。
【００２７】
なお、図４のステップ１０２で、リードライト手段６により読み出されたカード１０の金銭相当情報が一回の遊戯料金の金銭相当情報以下と判断された場合は、ステップ１０６以降の処理に移行する。
【００２８】
またステップ１０６で、センサー手段５からの挿入信号があれば、即ちカード１０をオペレータが押し続けていればカードステップ１０６をループし、オペレータがそのカード１０の押圧を解除するまで、即ちセンサー手段５からの挿入信号がなくなるまでその処理を続けることとなる。
【００２９】
従って、上述したカード処理装置１によると、オペレータがカードスロット３内にカード１０を挿入した後、オペーレータがさらにカード１０を押し込み、センサー手段５をオンさせると、リードライト手段６によりカード１０の金銭相当情報読み出され、その読み出した金銭相当情報と遊戯料金情報とが比較される。そして、その比較の結果、カード１０の記録領域に記録された金銭相当情報が遊戯料金情報以上の場合は、遊戯信号が遊戯装置１１へ送出されるが、記録領域に記録された金銭相当情報が遊戯料金情報以下の場合は遊戯信号は遊戯装置１１へ送出されることはなく、オペレータがカード１０の押圧を解除し、それによりカード１０がカードスロット３の上方へ押し戻されるまで、その状態が維持されることとなる。
【００３０】
一方、カード１０の記録領域に記録された金銭相当情報が遊戯料金情報以上の場合は、遊戯信号が一回遊戯装置１１へ送出され、その後、オペレータがカード１０を押圧する力を少し緩め、それによりカード１０が付勢手段４のレバー４ａによりカードスロット３の上方へ押し戻されセンサー手段５がオフになると、制御手段７は図４のステップ１００で示す初期状態になるので、この状態から再び、オペーレータがカード１０を押し込み、センサー手段５を再びオンさせると、上述したステップ１００以降の各処理が再び繰り返されることとなる。
【００３１】
即ち、上述したカード処理装置１によると、カード１０の記録領域に記録された金銭相当情報が遊戯料金情報以上であり続ける限りは、オペレータが図６で示すカード１０の位置から、当該カード１０を力Ｆで図２の位置へ押し込み、センサー手段５をオンさせるという簡単な操作、即ちオペレータ（遊戯者）が遊戯を試行するという意思を表現する限りは、その都度、遊戯信号が一回づつ遊戯装置１１へ送出され続けることとなる。
【００３２】
なお、上記実施例では、ＩＣカード１０及びリードライト手段６は非接触で、カードの記録領域にアクセスすることができるようなものについて詳述したが、この発明は上記実施例に限定されることなく、カードとして接触型のＩＣカードを使用し、このカードのコンタクトに接触する端子を有する接触型のリードライト手段を使用するようにしても良い。
【００３３】
また、上記実施例では、カードスロット３の形成方向を上から下方向としたが、水平方向でも良い。また上記実施例では、筐体２を使用したが、遊戯装置１１内に装着する場合は、この筐体２はなくてもよい。また上記実施例では付勢手段４をコイルバネにより構成したが、磁力や重力を利用したものでもよい。
【００３４】
また上記実施例では、センサ手段５としてマイクロスイッチ５ａを使用したが、勿論これに限らず、フォトインタラプタ等のセンサーにより構成しても良い。
【００３５】
また上記実施例のリードライト手段６は、カードに形成された記憶領域とのアクセスをアンテナで行うようにしたが、カードとしては非接触型カード以外に接触型カード、および磁気カードも適用可能なので、カードとのアクセス手段としては、アンテナに限定されることなく、コンタクト（接触型ＩＣカードの場合）、あるいは磁気ヘッドを使用するようにしてもよい。
【００３６】
また、上記実施例では制御手段７をＣＰＵを含むその周辺回路を利用して構成したが、勿論、論理回路により構成しても良い。
【００３７】
【発明の効果】
以上説明したように、この発明のカード処理装置では、カードスロット内に挿入されたカードをさらに押し込むという簡単な操作で、オペレータ（遊戯者）が遊戯を試行する意思を確実に表現させることができるだけでなく、他に入力装置等の部材が不要となるので、部品点数が少なく安価にカード処理装置を提供することができる。
【図面の簡単な説明】
【図１】図１はこの発明に係わるカード処理装置の概念断面図。
【図２】図２は図１のＡＡ断面図。
【図３】図３はこの発明に係わるカード処理装置のブロック図。
【図４】図４は制御手段の処理手順を示すフローチャート。
【図５】図５はカードの挿入状態を示すカード処理装置の概念断面図。
【図６】図６はカードの挿入状態を示すカード処理装置の概念断面図。
【符号の説明】
１…カード処理装置
３…カードスロット
４…付勢手段
５…センサ手段
６…リードライト手段
７…制御手段
１０…カード
【図１】
0003782895.tif 000002
【図２】
0003782895.tif 000003
【図３】
0003782895.tif 000004
【図４】
0003782895.tif 000005
【図５】
0003782895.tif 000006
【図６】
0003782895.tif 000007